【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
輸液ポンプの真空停止を防止するシリンジ補助システムであって、
前記輸液ポンプは、シリンジと患者とを接続し、薬液を運ぶチューブを備え、
前記シリンジは薬液入りのシリンジバレルを備え、
前記シリンジバレルにハンドル付きのシリンジプランジャーが取り付けられ、
前記輸液ポンプが前記シリンジバレルから薬液を吸引するように動作するシリンジ補助システムにおいて、
筐体と、
シリンジ補助プランジャーと、
ハンドル整合用の溝と、を備え、
前記筐体は、前記輸液ポンプを収容し、
前記シリンジ補助プランジャーは、前記筐体に収納され、前記輸液ポンプによる前記シリンジバレルからの薬液の吸引に起因する前記真空停止を防止すべく、前記シリンジプランジャーを前記シリンジバレルに連続的に押し付け、
前記ハンドル整合用の溝は、前記筐体の内壁に形成され、前記筐体に対して前記シリンジの前記ハンドルを固定することを特徴とするシリンジ補助システム。
【請求項２】
前記シリンジ補助プランジャーは、コッカー、クレードル、およびベース部材を有することを特徴とする請求項１に記載のシリンジ補助システム。
【請求項３】
前記ベース部材は、一対の対向した側面部、一対の対向した長手部、筺体取り付け部、および、内側表面部を有するとともに、
それぞれ前記長手部から内側へ部分的にのびる、一対の対向した整合部材を有することを特徴とする請求項２に記載のシリンジ補助システム。
【請求項４】
前記コッカーおよび前記クレードルは、それぞれ、前記クレードル整合用の溝および前記コッカー整合用の溝を備え、１つの集合体を形成し、
前記クレードル整合用の溝および前記コッカー整合用の溝は、前記コッカーおよび前記クレードルが互いにスライドすることを可能にすることを特徴とする請求項２に記載のシリンジ補助システム。
【請求項５】
前記コッカーは、当該コッカーに取り付けられるコッカーロック部材を有し、
前記コッカーロック部材が、前記筐体からのびるくさび状のロック部材に連結され、前記ベース部材に沿って前記コッカーが移動するのを選択的に制御することを特徴とする請求項２に記載のシリンジ補助システム。
【請求項６】
前記クレードルは、当該クレードルに取り付けられるシリンジバレル圧縮部材を有し、
前記シリンジバレル圧縮部材が、前記シリンジに圧縮力を与えること特徴とする請求項２に記載のシリンジ補助システム。
【請求項７】
前記コッカーおよび前記クレードルは、それぞれ、対向した一対のベース整合用の溝を有し、
前記ベース整合用の溝が、整合部材に連結されるとともに、前記コッカーと前記ベース部材、並びに、前記クレードルと前記ベース部材を、互いに連動してスライド可能にすることを特徴とする請求項２に記載のシリンジ補助システム。
【請求項８】
前記コッカーおよび前記クレードルには、前記コッカーおよび前記クレードル間を接続するバネによって圧縮力が及ぼされることを特徴とする請求項４に記載のシリンジ補助システム。
【請求項９】
前記コッカーは、前記バネを当該コッカーに固定するバネ保持部を有することを特徴とする請求項８に記載のシリンジ補助システム。
【請求項１０】
前記クレードルは、前記バネを当該クレードルに固定するバネ保持部を有することを特徴とする請求項８に記載のシリンジ補助システム。
【請求項１１】
前記バネは、前記シリンジから薬液を引き出す際に、前記シリンジ内に生じる真空停止を抑制するのに十分大きな圧縮力を有することを特徴とする請求項８に記載のシリンジ補助システム。
【請求項１２】
前記コッカーロック部材は、弾力性を有するコッカーロックタブを有し、
前記コッカーロックタブが、前記くさび状のロック部材に連結することを特徴とする請求項５に記載のシリンジ補助システム。
【請求項１３】
輸液ポンプに連結されるシリンジに圧縮力を与えるシリンジ補助プランジャーであって、
コッカーと、
クレードルと、
ベース部材と、を備え
前記コッカーが、細長いクレードル整合部と、当該クレードル整合部の下部に配置されるベース部材整合部と、当該クレードル整合部から外側にのびるコッカーロック部材とを備え、
前記クレードルが、細長いコッカー整合部と、当該コッカー整合部の下部に配置される細長いベース部材整合部と、前記クレードル整合部から外側にのびるシリンジバレル圧縮部材とを備え、
前記ベース部材が、一対の対向した側面部と、一対の対向した長手部と、前記側面部のそれぞれからのびる、一対のコッカーおよびクレードル整合部材とを備えることを特徴とするシリンジ補助プランジャー。
【請求項１４】
前記コッカーのベース部材整合部は、一対の対向したベース整合用の溝を有し、
前記ベース整合用の溝が、前記ベース部材における前記一対のコッカーおよびクレードル整合部材に対してスライド可能に形成されることを特徴とする請求項１３に記載のシリンジ補助プランジャー。
【請求項１５】
前記クレードルのベース部材整合部は、一対の対向した細長いベース整合用の溝を有し、
前記細長いベース整合用の溝が、前記ベース部材における前記一対のコッカーおよびクレードル整合部材に対してスライド可能に形成されることを特徴とする請求項１３に記載のシリンジ補助プランジャー。
【請求項１６】
前記クレードルのコッカー整合部は、一対の対向したコッカー整合用の溝を有し、
前記コッカーのクレードル整合部は、一対の対向したクレードル整合部材を有し、
前記一対の対向したクレードル整合部材が、前記一対の対向したコッカー整合用の溝に対してスライドすることを特徴とする請求項１３に記載のシリンジ補助プランジャー。
【請求項１７】
前記コッカーは、バネ固定具を有し、
前記バネ固定具が、前記コッカーに取り付けられる上端部と、テーパ状の円錐部を有する下端部とを有する細長い円筒部からなっていることを特徴とする請求項１３に記載のシリンジ補助プランジャー。
【請求項１８】
前記クレードルは、バネ固定具を有し、
前記バネ固定具が、前記クレードルに取り付けられる上端部と、テーパ状の円錐部を有する下端部とを有する細長い円筒部からなっていることを特徴とする請求項１３に記載のシリンジ補助プランジャー。
【請求項１９】
前記コッカーロック部材は、ロック部材支持部によって剛性を付与され、
前記ロック部材支持部が、前記コッカーロック部材の屈曲を抑制することを特徴とする請求項１３に記載のシリンジ補助プランジャー。
【請求項２０】
前記シリンジバレル圧縮部材は、全体的に面取りをした補強部材によって剛性を付与され、
前記面取りをした補強部材が、前記シリンジバレル圧縮部材の屈曲を抑制することを特徴とする請求項１３に記載のシリンジ補助プランジャー。
【請求項２１】
シリンジを用いた輸液ポンプの筐体であって、
フロントケースと、
ヒンジを介して前記フロントケースと連結されるバックケースと、
前記シリンジを圧縮的に保持するシリンジ補助プランジャーと、
安全ロックと、を備え
前記フロントケースが、輸液ポンプ保持部、シリンジ保持室、および、安全ロック部を形成し、
前記バックケースが、輸液ポンプ保持部、シリンジ保持室、シリンジハンドル整合用の溝、くさび状のロック部材、および、安全ロックラッチ開口部を形成し、
前記シリンジ補助プランジャーが、前記ロック部材に連結されて前記バックケース上の前記シリンジ保持室内に取り付けられ、
前記安全ロックが、前記安全ロック保持孔を通して、前記安全ロックラッチ開口部とともに前記フロントケースに取り付けられることを特徴とする筐体。
【請求項２２】
前記筐体をつり下げるためのループ状の引っ掛け部が、バックケースに取り付けられることを特徴とする請求項２１に記載の筐体。
【請求項２３】
支柱に取り付けるための支柱取り付け部材が、バックケースに取り付けられることを特徴とする請求項２１に記載の筐体。
【請求項２４】
ユーザに前記輸液ポンプのファンクションキーを入力させるためのアクセス開口部が、前記フロントケースに設けられることを特徴とする請求項２１に記載の筐体。
【請求項２５】
輸液ポンプアウトレットに対する複数のアクセス開口部が、前記バックケースに設けられることを特徴とする請求項２１に記載の筐体。
【手続補正２】
【補正対象書類名】明細書
【補正対象項目名】０００６
【補正方法】変更
【補正の内容】
【０００６】
本発明の一実施形態によれば、輸液ポンプの真空停止を防止するシリンジ補助システムが提供される。輸液ポンプは、シリンジと患者とを接続し、薬液を運ぶチューブを備え、シリンジは、薬液入りのシリンジバレルを備え、シリンジバレルには、ハンドル付きのシリンジプランジャーが取り付けられる。
上記構成において、シリンジ補助システムは、輸液ポンプを収容する筐体と、筐体に収納され、シリンジおよびシリンジプランジャーに部分的に圧縮力を与えるシリンジ補助プランジャーと、を備える。これにより、輸液ポンプによるシリンジからの薬液の引き出しに起因する真空停止が防止される。ハンドル整合用の溝が、筐体に形成され、シリンジのハンドルを固定する。
【手続補正３】
【補正対象書類名】明細書
【補正対象項目名】０００７
【補正方法】変更
【補正の内容】
【０００７】
上記構成において、シリンジ補助プランジャーは、コッカー、クレードル、およびベース部材を有する。ベース部材は、一対の対向した側面部、一対の対向した長手部、筺体取り付け部、および、内側表面部を有し、それぞれ長手部から内側へ部分的にのびる、一対の対向した整合部材を有する。コッカーおよびクレードルは、それぞれ、コッカーおよびクレードルが互いにスライドすることを可能にする、クレードル整合用の溝およびコッカー整合用の溝を備え、１つの集合体を形成する。コッカーは、コッカーロック部材を有し、コッカーロック部材が、筐体からのびるくさび状のロック部材に連結され、ベース部材に沿ったコッカーの移動を選択的に制御する。クレードルは、シリンジバレル圧縮部材を有し、シリンジバレル圧縮部材が、シリンジに圧縮力を与える。コッカーおよびクレードルは、それぞれ、対向した一対のベース整合用の溝を有し、ベース整合用の溝が、整合部材に連結される。これにより、コッカーとベース部材、並びに、クレードルとベース部材が、互いに連動してスライド可能になる。
【手続補正４】
【補正対象書類名】明細書
【補正対象項目名】００１２
【補正方法】変更
【補正の内容】
【００１２】
本発明のさらに別の実施形態によれば、シリンジを用いた輸液ポンプの筐体が提供される。シリンジを用いた輸液ポンプの筐体は、フロントケースと、ヒンジを介してフロントケースと連結されるバックケースと、シリンジ補助プランジャーと、安全ロックと、を備える。フロントケースが、輸液ポンプ保持部、シリンジ保持室、および、安全ロック部を形成する。バックケースが、輸液ポンプ保持部、シリンジ保持室、シリンジハンドル整合用の溝、くさび状のロック部材、および、安全ロックラッチ開口部を形成する。シリンジ補助プランジャーが、ロック部材に連結されてバックケース上のシリンジ保持室内に取り付けられる。安全ロックが、安全ロック保持孔を通して、安全ロックラッチ開口部とともにフロントケースに取り付けられる。
【手続補正５】
【補正対象書類名】明細書
【補正対象項目名】００１６
【補正方法】変更
【補正の内容】
【００１６】
図１を参照して、本発明のシリンジ補助システム１は、フロントケース１０、バックケース２０、ポンプ９０、および、シリンジ補助プランジャー８０から構成される。
ポンプ９０として、モーバイドらによる米国特許６，１６４，９２１号に記載されている蠕動ポンプが使用されることが好ましい。しかしながら、本発明においては、蠕動ポンプに限定されることなく、当業者によく知られている、薬液を調合することができるポンプが代用されてもよい。
ポンプ９０は、キーパッド９８、視覚的表示装置（visual display）９７、第１のユーティリティケーブル９２、および、第２のユーティリティケーブル９４を有する。第１のユーティリティケーブル９２は、ポンプ９０の側面からのびており、電源やグランド電位などの様々な入力を受ける。第２のユーティリティケーブル９４は、ポンプ９０の底面からのびている。
【手続補正６】
【補正対象書類名】明細書
【補正対象項目名】００１７
【補正方法】変更
【補正の内容】
【００１７】
フロントケース１０は、フロントケースポンプ部１１、および、フロントケースシリンジ部１２から構成される。フロントケースポンプ部１１は、ポンプ９０を保持または支持している。フロントケースシリンジ部１２は、シリンジ補助プランジャー８０およびシリンジ（図示せず）を部分的に囲むフロントシリンジ保持室３２から構成される。
また、フロントケース１０は、リードアウトアクセス開口部（readout access slot）１３と、キーパッドアクセス開口部（keypad access slot）１４とを有する。リードアウトアクセス開口部１３およびキーパッドアクセス開口部１４は、それぞれ、視覚的表示装置９７およびキーパッド９８を遮らないように構成される。
さらに、フロントケース１０は、安全ロック保持孔１７を有する。安全ロック保持孔１７は、フロントケースポンプ部１１上に設けられ、安全ロック１５が差込まれるように構成される。
安全ロック１５は、ラッチ部１８を有する。ラッチ部１８は、バックケース２０上に設けられた安全ロックラッチ開口部２５に対して、回転させてスライドできる構造になっている。安全ロック１５は、ポンプ９０に関連する構成部品、並びに、フロントケース１０およびバックケース２０によって構成される筐体内に配置されるシリンジ（図示せず）に対して、人間が許可無く触れることを防止するためのものである。安全ロック１５は、フロントケース１０およびバックケース２０の組み立てを行うために用いられ、シリンジ補助システム１中の構成部品に対して、筐体を集合的に形成するために用いられる。
【手続補正７】
【補正対象書類名】明細書
【補正対象項目名】００１８
【補正方法】変更
【補正の内容】
【００１８】
バックケース２０は、ケースポンプ部２１、およびバックケースシリンジ部２２から構成される。ケースポンプ部２１は、ポンプ９０を保持および支持する。バックケースシリンジ部２２は、シリンジ補助プランジャー８０およびシリンジ（図示せず）を部分的に囲むバックシリンジ保持室４２によって構成される。
また、バックケース２０は、チューブアウトレット開口部９５を有している。チューブアウトレット開口部９５には、シリンジ補助システム１の内部から患者にのびる薬液チューブに対応する開口が形成されている。
さらに、バックケース２０は、第１のユーティリティケーブルアクセス開口部９３、および、第２のユーティリティケーブルアクセス開口部９５を有している。第１のユーティリティケーブルアクセス開口部９３および第２のユーティリティケーブルアクセス開口部９５には、それぞれ、第１のユーティリティケーブル９２および第２のユーティリティケーブル９４に対して開口が形成されている。
【手続補正８】
【補正対象書類名】明細書
【補正対象項目名】００１９
【補正方法】変更
【補正の内容】
【００１９】
シリンジ補助プランジャー８０は、バックケース２０に取り付けられるとともに、バックシリンジ保持室４２およびフロントシリンジ保持室３２によって取り囲まれる。シリンジ補助プランジャー８０は、輸液中に、シリンジ（図示しない）に対して機械的な補助を行う。詳細な内容は以下に説明する。シリンジ補助プランジャー８０は、１つあるいはそれ以上のプランジャー取り付けネジ８１によって、バックケース２０に取り付けられる。
【手続補正９】
【補正対象書類名】明細書
【補正対象項目名】００２０
【補正方法】変更
【補正の内容】
【００２０】
シリンジ補助システム１を固定する方法は、その構造に応じていろいろある。1つの方法として、ループ状の引っ掛け部３５を用いる方法が挙げられる。ループ状の引っ掛け部３５は、ループ状の引っ掛け部取り付け用のネジ３６を、ループ状の引っ掛け部固定孔３７に挿通させることにより、バックケース２０に取り付けられる。シリンジ補助システム１は、その重さに耐えうるものであればどのようなタイプのストラップでつり下げられてもよい。装置をつり下げるようにして利用される、従来の携帯型ＩＶ（intravenous）点滴システムを使用してもよい。
他の方法としては、支柱取り付け部材３０を用いる方法が挙げられる。支柱取り付け部材３０は、支柱取り付け部材取り付け用のネジ３４を、支柱取り付け部材３０上に設けられた保持孔３３に挿通させることにより、バックケース２０に取り付けられる。この方法により、シリンジ補助システム１を、ベッドの支柱または他の構造物のような、鉛直方向に長くのびた構造物に取り付けることができる。鉛直方向に長くのびた構造物の種々の長さに対応させるため、支柱取り付け調整ノブ３２の挿入の深さは様々である。支柱取り付け調整ノブ３２は、より薄い構造物に対して締め付けるように、より厚い構造物に対して緩めるように、使用される。
【手続補正１０】
【補正対象書類名】明細書
【補正対象項目名】００２２
【補正方法】変更
【補正の内容】
【００２２】
図２を参照して、シリンジ補助プランジャー８０は、クレードル（cradle）１５０、および、クレードル（cradle）１５０の組立構造物から構成される。クレードル（cradle）１５０はコッカー（cocker）１８０に対してスライドできる。クレードル１５０の組立構造物はベース部材１１０に対してスライドできる。
本文で使用される用語「コッカー」は、本発明の特徴をなすものであり、クレードル１５０に、以下に説明するような他の構成要素と一体になって、一方向の力を与えるようにしている。
図３ａに示すように、コッカー１８０は、クレードル整合部３２０、コッカーロック部材３３０、および、ベース部材整合部３４０から構成される。クレードル整合部３２０およびコッカーロック部材３３０は、それぞれ水平方向および鉛直方向にのびている。ベース部材整合部３４０は、クレードル整合部３２０およびコッカーロック部材３３０の下部にのびるように配置される。
コッカーロック部材３３０は、ロック部材支持部３３２により支持されている。コッカーロック部材３３０は、一般的に、シリンジ保持室を取り囲む弓型の構造物に対応するように、弓型になっている。また、コッカーロック部材３３０は、曲がりやすいロック用のタブ３３４を有している。ロック用のタブ３３４の機能性については、以下に詳細に説明する。
【手続補正１１】
【補正対象書類名】明細書
【補正対象項目名】００３２
【補正方法】変更
【補正の内容】
【００３２】
図１に示すように、シリンジ補助プランジャー８０（ベース部材１１０、コッカー１８０およびクレードル１５０の一体化された構造物）は、上述したように、プランジャー取り付けネジ８１によって、バックケース２０に固定される。図１、並びに図５ｂおよび５ｃに示すように、ベース部材１１０は、バックケースワッシャー整合用押し出し部材５１０を有する。バックケースワッシャー整合用押し出し部材５１０は、一般的に円筒形状であり、プランジャー取り付けネジ孔５１２を有している。さらに、バックケースワッシャー整合用押し出し部材５１０は、外側シリンダー部５１４および内側シリンダー部５１６により構成される。
バックケース押し出し部材８２は、内側シリンダー部５１６内に整合するように構成される。バックケース押し出し部材８２に、ナット８３、およびプランジャー取り付けネジ８１が取り付けられて、シリンジ補助プランジャー８０がバックケース２０に固定される。
【手続補正１２】
【補正対象書類名】明細書
【補正対象項目名】００３３
【補正方法】変更
【補正の内容】
【００３３】
図７に示すように、シリンジ補助プランジャー８０は、ロックされた状態で、バックケース２０に取り付けられている。バックケース２０は、バックケース２０から突出したくさび状のロック部材２４を有する。
図３ａに示すように、コッカーロック部材３３０は、コッカーロックタブ３３４を有する。コッカーロックタブ３３４は、くさび状のロック部材２４に連結される。
このようにして、コッカー１５０が部分的にロックされ、コッカー１５０のベース部材１１０沿ったスライド動作が抑制される。コッカー１５０を、ロック解除状態にして、ベース部材１１０上を自由にスライドさせる場合には、コッカーロックタブ３３４の弾性的特性より、コッカー１５０のロックを解除すればよい。このような弾性的特性を与えるために、くさび状のロック部材２４の対応した高さにおいて、細い溝がコッカーロック部材３３０に形成されている。
ロック状態は、いつまでも維持されるのが好ましい。これを実現するために、ロック部材支持部３３２が、コッカーロック部材３３０に構造的な剛性を与え、与られた圧縮力によって、くさび状のロック部材２４に対してコッカー１５０が曲ったり離れたりするのを防止している。当然のことであるが、ロック状態では、クレードル１５０のみが、ベース部材１１０上を動くことができる。さらに、ロック構造において、図６に示されたバネ１９０により与えられる圧縮力は、図７に示されたように、下方のシリンダーバレル圧縮部材４１０を介して、ほぼ全体的に与えられる。
【手続補正１３】
【補正対象書類名】明細書
【補正対象項目名】００３４
【補正方法】変更
【補正の内容】
【００３４】
図８に示すように、従来のシリンジ８００は、シリンジバレル８０１を構成している。シリンジバレル８０１は、遠位端部８０４および近位端部８０６を有する。
さらに、シリンジ８００は、シリンジプランジャー８１０、ハンドル８２０、および、注射針８３０を有している。ハンドル８２０は、シリンジプランジャー８１０の上部に取り付けられる。注射針８３０は、シリンジバレル８０１の内部からチューブ取り付け部材８４０までのびている。
シリンジプランジャー８１０を押し下げることによって、シリンジバレル８０１から薬液が引き出されて、シリンジバレル８０１から注射針８３０を通して薬液が出ていく。
【手続補正１４】
【補正対象書類名】明細書
【補正対象項目名】００３５
【補正方法】変更
【補正の内容】
【００３５】
シリンジ８００は、ハンドル整合用の溝２６およびシリンジバレル圧縮部材４１０により、バックシリンジ保持室４２内に収納される。ハンドル整合用の溝２６は、ハンドル８２０と連動する。シリンジ８００の遠位端部８０４は、シリンジバレル圧縮部材４１０に隣接する。上記から判るように、シリンジバレル８０１の内部は、公知の薬剤で満たされている。
図８および図１を参照して、ポンプ９０は、真空吸引力によって、シリンジ８００内に含まれた薬液を患者に輸液する。チューブ取り付け部材８４０に取り付けられたチューブが、ポンプ９０内を通り、患者の体内に刺通される注射針（図示しない）に繋がっている。薬液は、シリンジプランジャー８１０上の開口部、および注射針８３０を順次通って、上述のチューブ取り付け部材８４０に達する。
【手続補正１５】
【補正対象書類名】明細書
【補正対象項目名】００３６
【補正方法】変更
【補正の内容】
【００３６】
上述したように、従来の輸液ポンプシステムにおける問題点は、シリンジ８００からの薬液の吸引の際に、シリンジプランジャー８１０のシリンジバレル８０１内で、真空吸引力を克服できず、真空停止が生じることである。別の言い方をすれば、薬液がシリンジバレル８０１から引き抜かれれば引き抜かれるほど、シリンジバレル８０１内の薬液の量がより少なくなるので、シリンジバレル８０１の内側と外側の間で圧力差が生じる。こうして、ポンプが、薬液を引き出すのにより大きな真空吸引力が必要になり、最終的には薬液を輸液できなくなる。しかしながら、シリンジ８００の遠位端部８０４に対して圧縮力を与えることによって、ポンプの吸引力は一定に保たれ、真空停止の問題を防止することができる。シリンジプランジャー８１０をシリンジバレル８０１に降下させながら、シリンジバレル圧縮部材４１０による力を利用することにより、薬液がシリンジバレル８０１から引き出される際に生じた真空状態を、減らしたりなくしたりすることができる。上述した従来法により、薬液がシリンジ８０１から引き出されるが、輸液流量は、ポンプ９０により制御される。
ハンドル８２０は、ハンドル整合用の溝２６と連動する。シリンジバレル圧縮部材４１０によって遠位端部８０４に力が与えられた状態で、シリンジ補助プランジャーは、シリンジバレル８０１の中に入り込む。
【手続補正１６】
【補正対象書類名】明細書
【補正対象項目名】００３９
【補正方法】変更
【補正の内容】
【００３９】
【図１】本発明の1実施形態による、フロントケース、バックケース、輸液ポンプ、およびシリンジ補助プランジャーの分解斜視図である。
【図２】本発明の1実施形態による、シリンジ補助プランジャーの斜視図である。
【図３ａ】本発明の1実施形態による、コッカーの側面図である。
【図３ｂ】図３ａのコッカーの正面図である。
【図３ｃ】図３ａのコッカーに一致するベース部材の正面図である。
【図４ａ】本発明の1実施形態による、クレードルの斜視図である。
【図４ｂ】図４ａのクレードルの正面図である。
【図５ａ】本発明の１実施形態による、ベース部材の斜視図である。
【図５ｂ】図５ａのベース部材の上面図である。
【図５ｃ】図５ｂのＣ−Ｃ線に沿った詳細な断面図である。
【図６】本発明の１実施形態による、バネを備えた、一体となったクレードルおよびコッカーの垂直断面図である。
【図７】本発明の１実施形態による、ロックされた構成におけるシリンジ補助プランジャーを有したシリンジ補助システムの上面図である。
【図８】本発明の１実施形態による、シリンジに対して真空補助するシリンジ補助プランジャーを有したシリンジ補助システムの上面図である。